(57)【要約】【課題】店員等の現場管理人による監視を要することなく、公衆が手軽に利用できるようインターネット端末を提供する。【解決手段】情報処理部２１と、作動制御部２２と、コイン計数機２４と、操作部２５と、出力部２６とを備えてなるインターネット端末２であって、前記情報処理部２１は、管理者がアクセス可能とされたマスタドライブ３１と、利用者がアクセス可能とされた利用者ドライブ３２とを有し、前記コイン計数機２４は、利用者が投入した硬化、コイン、紙幣などを計数し、その計数した値Ｎを情報処理部２１に送出するよう構成され、前記操作部２５は、利用者が所望のインターネット操作がなし得るよう構成され、前記利用者ドライブ３２は、前記コイン計数機２４により計数された値Ｎに対応した時間だけ動作するよう構成されてなるインターネット端末２である。【選択図】  図３
2004213585.tif 000002
【特許請求の範囲】
【請求項１】
情報処理部と、作動制御部と、計数手段と、操作部と、出力部とを備えてなるインターネット端末であって、
前記情報処理部は、管理者がアクセス可能とされたマスタドライブと、利用者がアクセス可能とされた利用者ドライブとを有し、
前記作動制御部は、タイマ手段を内蔵し、該タイマ手段によりインターネット端末の起動および／または停止を制御するよう構成され、
前記計数手段は、利用者が投入した硬化、コイン、紙幣などを計数し、その計数した値を情報処理部に送出するよう構成され、
前記操作部は、利用者が所望のインターネット操作がなし得るよう構成され、
前記出力部は、利用者のインターネット操作に対応した出力がなし得るよう構成され、
前記利用者ドライブは、前記計数手段により計数された値に対応した時間だけ動作するよう構成されてなる
ことを特徴とするインターネット端末。
【請求項２】
計数手段により計数された値に対応した時間が終了する一定時間前に、追加の硬化、コイン、紙幣などの投入を促すメッセージが出力部から出力されるよう構成されてなることを特徴とする請求項１記載のインターネット端末。
【請求項３】
利用者ドライブの動作中に硬化、コイン、紙幣などが追加投入された場合、その投入された硬化、コイン、紙幣などに対応した時間だけ利用者ドライブの動作時間が延長されるよう構成されてなることを特徴とする請求項１記載のインターネット端末。
【請求項４】
特定の情報が出力された場合、その情報が出力された時間だけ利用者ドライブの動作時間が延長されるよう構成されてなることを特徴とする請求項１記載のインターネット端末。
【請求項５】
利用者の利用中において利用者ドライブに不具合が生じた場合、利用残存時間情報がマスタドライブに保持され、前記残存時間情報に基づいて前記利用者ドライブの再稼働後における動作時間が制御されるよう構成されてなることを特徴とする請求項１記載のインターネット端末。
【請求項６】
電気通信回線を利用してインターネット端末を遠隔操作する遠隔操作媒介部を備えてなることを特徴とする請求項１記載のインターネット端末。
【請求項７】
出力部が画像表示手段を有してなることを特徴とする請求項１記載のインターネット端末。
【請求項８】
画像表示手段が、第１の画像表示部と第２の画像表示部とを備え、
前記第１の画像表示部は、利用者のインターネット操作に対応した出力をなし得るよう構成され、
前記第２の画像表示部は、特定の情報を出力するよう構成されてなる
ことを特徴とする請求項７記載のインターネット端末。
【請求項９】
第２の画像表示部が、第１の画像表示部の上方に位置させられてなることを特徴とする請求項８記載のインターネット端末。
【請求項１０】
情報処理部は、硬化、コイン、紙幣などが投入されない状態では、操作部の操作を受付けないよう構成されてなることを特徴とする請求項１記載のインターネット端末。
【請求項１１】
利用者ドライブが損傷した場合、マスタドライブが損傷した利用者ドライブを復元するよう構成されてなることを特徴とする請求項１記載のインターネット端末。
【発明の詳細な説明】
【０００１】
【発明の属する技術分野】
本発明は、インターネット端末に関する。さらに詳しくは、公共の場で手軽に利用できるインターネット端末に関する。
【０００２】
【従来の技術】
近年、いわゆるインターネットカフェなど、パソコンなどのインターネット端末を公衆の利用に供するビジネス形態が出現している。
【０００３】
インターネットカフェは、一般に店員等いる店舗内部にインターネット端末を自由に利用できるような態様で設置し、利用者の入店から出店までの時間に基づいて利用手数料を徴収するシステムとされるものが多い。
【０００４】
ところが、このような従来のインターネットカフェは、専用店舗の確保や利用手数料を徴収する店員等の配置に要するコストが高く、結果としてインターネット端末の利用手数料を引下げることが困難になるといった問題がある。
【０００５】
このため、従来、専用店舗にインターネット端末を設置するのではなく、ゲームセンターやファミコンゲームショップなどの施設の余剰スペースに、インターネット機器を設置するように構成されてなるインターネット利用システムが提案されている（特許第３０９０４４６号公報参照、以下従来システムという）。
【０００６】
この従来システムは、インターネット機器にコインタイマ装置およびコントロールボックスを付設し、コインタイマ装置へのコイン投入・未投入の判断に基づいて、コントロールボックスがコインタイマ装置および他機器への電源供給、キーボードとパソコン本体との信号接続状態などを制御し、これによって店員等による利用手数料の管理を不要とし、専用店舗の確保を不要とするものとされるものである。
【０００７】
しかしながら、かかる従来システムにおいてもインターネットカフェにおけると同様に、インターネット機器の起動および停止（シャットダウン）は店員等が操作する必要があり、またシステムがフリーズしたような場合の再起動も店員等の操作による必要がある。
【０００８】
したがって、この従来技術においてはインターネット機器の設置場所が前掲したようなゲームセンターやファミコンゲームショップなどの有人施設、つまり片手間であれインターネット機器の状態を監視する現場管理人を確保することができる施設に限定されてしまい、完全な省力化が困難であるといった問題がある。
【０００９】
また、前掲従来システムにおいては、インターネット機器の利用中にシステムがフリーズし、利用者が投入金額に相当する時間のインターネット機器の利用ができなくなったような場合については何ら考慮されておらず、店員等の現場管理人の臨機応変な処置に委ねるものと思われる。このため、この点においても完全な省力化は困難であり、インターネット機器の設置場所が限定されてしまうといった問題がある。
【００１０】
さらに、利用者の手数料支払に応じたインターネット機器の利用を管理するため、コインタイマ装置とコントロールボックスとをパソコン本体とは別に設けるものとしているため、装置のコンパクト化が困難になるといった問題もある。
【００１１】
【発明が解決しようとする課題】
本発明はかかる従来技術の課題に鑑みなされたものであって、店員等の現場管理人による監視を要することなく、公衆が手軽に利用できるようインターネット端末を提供することを目的としている。
【００１２】
【課題を解決するための手段】
本発明のインターネット端末は、情報処理部と、作動制御部と、計数手段と、操作部と、出力部とを備えてなるインターネット端末であって、前記情報処理部は、管理者がアクセス可能とされたマスタドライブと、利用者がアクセス可能とされた利用者ドライブとを有し、前記作動制御部は、タイマ手段を内蔵し、該タイマ手段によりインターネット端末の起動および／または停止を制御するよう構成され、前記計数手段は、利用者が投入した硬化、コイン、紙幣などを計数し、その計数した値を情報処理部に送出するよう構成され、前記操作部は、利用者が所望のインターネット操作がなし得るよう構成され、前記出力部は、利用者のインターネット操作に対応した出力がなし得るよう構成され、前記利用者ドライブは、前記計数手段により計数された値に対応した時間だけ動作するよう構成されてなることを特徴とする。
【００１３】
本発明のインターネット端末においては、計数手段により計数された値に対応した時間が終了する一定時間前に、追加の硬化、コイン、紙幣などの投入を促すメッセージが出力部から出力されるよう構成されてなるのが好ましい。
【００１４】
また、本発明のインターネット端末においては、利用者ドライブの動作中に硬化、コイン、紙幣などが追加投入された場合、その投入された硬化、コイン、紙幣などに対応した時間だけ利用者ドライブの動作時間が延長されるよう構成されてなるのが好ましい。
【００１５】
さらに、本発明のインターネット端末においては、特定の情報が出力された場合、その情報が出力された時間だけ利用者ドライブの動作時間が延長されるよう構成されてなるのが好ましい。
【００１６】
さらに、本発明のインターネット端末においては、利用者の利用中において利用者ドライブに不具合が生じた場合、利用残存時間情報がマスタドライブに保持され、前記残存時間情報に基づいて前記利用者ドライブの再稼働後における動作時間が制御されるよう構成されてなるのが好ましい。
【００１７】
さらに、本発明のインターネット端末においては、電気通信回線を利用してインターネット端末を遠隔操作する遠隔操作媒介部を備えてなるのが好ましい。
【００１８】
さらに、本発明のインターネット端末においては、出力部が画像表示手段を有してなるのが好ましい。
【００１９】
さらに、本発明のインターネット端末においては、画像表示手段が、第１の画像表示部と第２の画像表示部とを備え、前記第１の画像表示部は、利用者のインターネット操作に対応した出力をなし得るよう構成され、前記第２の画像表示部は、特定の情報を出力するよう構成されてなるのが好ましい。その場合、第２の画像表示部が、第１の画像表示部の上方に位置させられてなるのがさらに好ましい。
【００２０】
さらに、本発明のインターネット端末においては、情報処理部は、硬化、コイン、紙幣などが投入されない状態では、操作部の操作を受付けないよう構成されてなるのが好ましい。
【００２１】
さらに、本発明のインターネット端末においては、利用者ドライブが損傷した場合、マスタドライブが損傷した利用者ドライブを復元するよう構成されてなるのが好ましい。
【００２２】
【作用】
本発明のインターネット端末は、前記の如く構成されているので、店員等の現場管理人による端末の起動や停止の操作を要することなく、公衆が手軽に支払金額に応じた時間だけインターネットを利用できる。
【００２３】
また、本発明のインターネット端末の好ましい形態によれば、第１の画像表示部と第２の画像表示部とを有しているので、利用者の利用を妨げることなく第２の表示に広告などの特定の情報を出力することができてその利便性が向上する。
【００２４】
【発明の実施の形態】
以下、添付図面を参照しながら本発明を実施形態に基づいて説明するが、本発明はかかる実施形態のみに限定されるものではない。
【００２５】
図１に本発明の一実施形態に係るインターネット端末を利用したインターネット端末利用システムの概略構成を示し、図２にインターネット端末利用システムの管理装置の構成を示し、図３にインターネット端末の構成を示し、図４にインターネット端末の設置態様の一例を斜視図で示す。
【００２６】
図１に示すように、インターネット端末利用システム（以下単にシステムという）Ｋは、管理装置１と、この管理装置１にインターネットＬおよび電気通信回線Ｍを介して接続されるインターネット端末（以下端末という）２，２，…とから構成される。
【００２７】
図２に示すように、管理装置１は、インターネットＬを介して端末２から要求される情報を端末に送信するウェブサーバ部１１と、ウェブメール管理部１２と、端末２の状態を監視する状態監視部１３とを備えてなるものとされる。
【００２８】
ウェブサーバ部１１は、インターネットＬに接続されている全てのサーバ、端末２からアクセス可能ないわゆるウェブサイトとして機能するように、ニュース、画像、映像、音楽などの各種コンテンツを格納し、端末等からの要求に応じて所望のコンテンツを送信する。
【００２９】
また、ウェブサーバ部１１は、システムＫを構成する端末２，２，…（以下各端末を代表して端末２と記する）から要求された場合にのみ送信する特別のコンテンツを格納する。このような特別のコンテンツは、配信権を得た楽曲、映像などとされる。
【００３０】
ウェブメール管理部１２は、端末２の利用者の要求に応じて設定したアカウントについて、当該利用者がシステムＫの端末２または他のサーバ、端末によりウェブメール管理部１２にアクセスし、当該アカウントにより送信した電子メール（以下送信メールという）を保存するとともに、当該アカウント宛の電子メール（受信メール）を受信し保存するものとされる。
【００３１】
これにより、利用者は、外出先で端末２によりウェブメール管理部１２にアクセスし自らのアカウントにおいて電子メールの送受信および確認ができるのは勿論のこと、家庭、オフィスのパソコンからウェブメール管理部１２にアクセスし、自らのアカウントにおいて電子メールの送受信および確認することができる。したがって、ウェブメール管理部１２において作成したアカウントを常用のものとして電子メールを利用することが可能となる。
【００３２】
状態監視部１３は、電話回線などの電気通信回線Ｍを介して端末２の状態を監視し、端末２の異常を検知するとその異常を回復するための適宜処置を実施する。例えば、状態監視部１３が端末２のシステムのフリーズを検知すると、後掲する端末２の遠隔操作媒介部２３にシステムをリセットするよう電気通信回線Ｍを介して指令を発し、端末２を再起動させる。
【００３３】
次に、図３および図４を参照して端末２を説明する。
【００３４】
端末２は設置場所における管理者（現場管理者）が不要な無人機械として構成されてなるものであって、風雨の浸入が遮断されかつ好ましくはある程度以上人が集る場所に設置され、利用者が所定のコインなどを投入することによって手軽にインターネットを介して情報を閲覧し、取得し、発信することができるようにされている。
【００３５】
図３に示すように、端末２は、情報処理部２１と、作動制御部２２と、遠隔操作媒介部２３と、コイン計数機（計数手段）２４と、マウス、キーボードなどの操作入力機器からなる操作部２５と、ディスプレイ装置、プリンタ、フロッピディスクドライブ、カードリーダ（カードリーダ・アンド・ライタ）などの情報出力機器からなる出力部２６から構成される。
【００３６】
情報処理部２１は、マスタドライブ３１と、利用者ドライブ３２とを含むものとされる。
【００３７】
マスタドライブ３１は、利用者に対して隠されたドライブとされ、マスタオペレーティングシステム４１と、マスタアプリケーション部４２と、マスタ課金管理部４３と、利用者ドライブ生成部４４とを含む。なお、管理者（システム管理者）がマスタドライブ３１にアクセスする際にはパスワードの入力が必要とされ、これによってセキュリティの確保が図られる。
【００３８】
利用者ドライブ３２は、マスタドライブ３１の内容に基づいてその内容が生成および復元される、利用者によりアクセスされるドライブとされ、利用者オペレーティングシステム５１と、利用者アプリケーション部５２と、利用者課金管理部５３とを含む。
【００３９】
マスタオペレーティングシステム４１および利用者オペレーティングシステム５１は、操作部２５および出力部２６の制御、ならびにインターネットＬを介した通信の制御を行う機能を有する。なお、通常の稼働状態においては利用者オペレーティングシステム５１がこれらの制御を実施する。
【００４０】
ここで、利用者オペレーティングシステム５１は、マスタオペレーティングシステム４１とほぼ同一の内容とされるが、システムＫやアプリケーションを破壊するおそれのある機能を実行させるコマンド（マスタドライブ３１や利用者ドライブ３２のフォーマットコマンドなど）などは削除される。
【００４１】
マスタアプリケーション部４２と利用者アプリケーション部５２とは同一の内容とされ、インターネットＬを介して世界中のウェブサーバにアクセスするためのブラウザ、および楽曲、映像を再生するためのプレイヤなどのアプリケーションソフトウェアを含むものとされる。利用者は、利用者側アプリケーション部５２のブラウザ、プレイヤなどを操作してインターネットを利用する。
【００４２】
また、アプリケーション部４２、５２には管理装置１のウェブメール管理部１２にアクセスする機能が設けられる。このような機能は、例えばブラウザにより管理装置のウェブサーバ部１１にアクセスしたときに表示されるウェブページにおいてウェブメール管理部１２にアクセスするためのハイパーリンクを設けるようにして実現される。
【００４３】
マスタ課金管理部４３および利用者課金管理部５３は、コイン計数機２４における投入金額に応じた時間、利用者が端末２によりインターネットを利用することができるように、各アプリケーション部４２、５２の操作を許可または不許可とするよう管理する課金管理処理を実施する。課金管理処理の詳細は後で説明する。
【００４４】
利用者ドライブ生成部４４は、利用者の操作などに起因して利用者ドライブ３２の内容がソフト的に損傷されたときに、利用者ドライブ３２の内容を復元する利用者ドライブ復元処理を実施する。利用者ドライブ復元処理の詳細は後で説明する。
【００４５】
ここで、マスタドライブ３１と、利用者ドライブ３２とは、物理的に別異である２つのドライブから構成するものとしてもよいし、マスタドライブ３１を実装ドライブとし、利用者ドライブ３２を仮想ドライブとするようにして構成してもよい。
【００４６】
作動制御部２２はタイマ手段を有し、設定時刻（例えば、朝夕の所定時刻）に端末２の起動および停止を行うように、端末２の利用状況を監視しつつ端末２の電源スイッチを操作する。
【００４７】
遠隔操作媒介部２３は、電気通信回線Ｍを介して管理装置１の状態監視部１３と接続され、端末２に異常が生じた場合に管理装置１に異常の内容を通知する信号（以下異常通知信号という）を送信するとともに、状態監視部１３からの指令にしたがって端末２をリセットするなどの処置を実施する。
【００４８】
コイン計数機２４は例えばＲＳ−２３２Ｃ（シリアルインタフェース規格）による接続線を介して情報処理部２１と接続され、作動制御部２２により端末２が起動されてから停止されるまでの間、図示しないコイン投入口に投入されるコイン（１００円硬貨など）を計数し、投入金額に対応する信号（以下、投入コインデータと称する）をマスタ課金制御部４３および利用者課金制御部５３に送信する。
【００４９】
次に、図４を参照して端末２の具体的な設置の態様を説明する。
【００５０】
端末２は、図４に示すように、椅子２ａが付設されるとともに、配線、コネクタなどを隠し、かつモニタ画面２６ａやキーボードおよびカードスロット２６ｂなどのマンマシンインターフェースのみを露出させるようコンパクトにボックスに収納された状態で設置される。
【００５１】
また、広告等を表示させる副画面２６ｃ（第２表示部）をモニタ画面２６ａ（第１表示部）の上方にタンデムに配設し、スペースの有効利用を図るようにしても良い。
【００５２】
次に、図５および図６を参照してシステムＫの動作を説明する。図５は端末２の起動から停止までの処理の流れを示す。図６は課金管理部における処理の流れを示す。
【００５３】
図５に示すように、作動制御部２２により所定時刻に端末２の電源が投入される（ステップＳ１）と、マスタオペレーティングシステム４１が起動する（ステップＳ２）。
【００５４】
ついで、マスタ課金管理部４３および利用者課金管理部５３が起動され（ステップＳ３）、利用者課金管理部５３の制御によりコイン計数機２４において投入コインをスルーさせるブロッカーの閉鎖を解除し、これによりコイン計数機２４は投入金額に応じた信号を出力するコイン計数可能状態に移行する（ステップＳ４）。これと同時に、利用者課金管理部５３がモニタ画面２６ａにコイン計数機２４におけるコイン投入を促すように所定の待受け画面を表示する（ステップＳ５）。
【００５５】
また、前掲ステップＳ３においては利用者ドライブ生成部４４が起動される。利用者ドライブ生成部４４は、利用者ドライブ３２の内容に不具合があるか否かをチェックし、不具合がある場合はその不具合を除去するように利用者ドライブ３２の内容をその保存しているデータに基づいて復元する。また、利用者オペレーティングシステム５１も同時に起動され、これ以後、マスタオペレーティングシステム４１に代って利用者オペレーティングシステム５１が制御を実施する。
【００５６】
前掲ステップＳ５の状態でコイン計数機２４にコインが投入されると、コイン計数機２４が情報処理部２１に投入コインデータＮを出力し、投入コインデータＮはマスタ課金管理部４３および利用者課金管理部５３に入力される。利用者課金管理部５３は、投入コインデータＮを受取ると利用者アプリケーション部５２の所定のソフトウェア、例えばブラウザを起動し、これにより初期画面、例えばウェブサーバ部１１により管理されるウェブサイトのトップページが表示される（ステップＳ６）。
【００５７】
また、待受け画面が表示されかつコイン未投入の状態では、利用者オペレーティングシステム５１が操作部２５による操作を受付けないようにして端末２の利用が拒否される。
【００５８】
次に、前掲ステップＳ６で利用者による利用中にコイン計数機２４における投入金額に相当する時間が経過すると、利用者課金管理部５３は起動中の利用者アプリケーション部５２のソフトウェアを利用者の利用履歴を抹消して終了し（ステップＳ７）、前掲ステップＳ５と同様の待受け画面をモニタ画面に表示する（ステップＳ８）。この場合、前掲ステップＳ６で投入金額相当時間が経過する所定時間前に追加手数料の投入を促すメッセージを表示させるようにしてもよい。そして、端末２の利用中、具体的には利用者ドライブ３２の動作中にさらにコインが投入された場合は、利用可能残時間が投入金額に相当する時間だけ延長される。
【００５９】
営業終了時刻など、端末２の停止時刻の設定がある場合、作動制御部２２は端末２が利用中ではないことを条件として端末２を停止（シャットダウン）し（ステップＳ９）、同時にコイン計数機２４において例えばブロッカーを閉鎖するようにしてコイン計数機２４におけるコイン計数を終了する（ステップＳ１０）。
【００６０】
また、前掲ステップＳ９で端末２が利用中である場合は、投入金額に相当する時間の利用が終了した時点、つまり利用可能残時間が零になった時点に端末２を停止する。なお、前掲ステップＳ６では特定のウェブページ、例えば所定の広告ページや操作説明画面を閲覧している間は、各課金管理部４３、５３が計時をストップするようにしてもよい。この場合、所定時間（例えば３０秒）に亘ってなんら操作が行われなければ、計時を再開するように構成して放置された場合の不都合を回避することができる。
【００６１】
次に、図６を参照して利用中に再起動処理を実施する場合の流れを説明する。
前掲したように、コイン計数機２４からの投入コインデータＮはマスタ課金管理部４３および利用者課金管理部５３の両方に入力され、これに基づき各管理部４３、５３において利用時間の計時が実行される。
【００６２】
ここで、利用中に利用者ドライブ３２に不具合が発生し、その利用者ドライブ３２を継続して利用させることが不適当である場合や、状態監視部１３の指令に基づくリセットが行われる場合は、利用者ドライブ３２の内容を一旦消去し、マスタドライブ３１の内容に基づいて、新たに利用者ドライブ３２の内容を生成する再起動処理Ｒを実施する。このとき、マスタ課金管理部４３には利用可能残時間を示す情報（以下利用残時間情報という）が保持される。また、再起動処理Ｒを実施する際には、利用者にその旨通知するメッセージをモニタ画面２６ａに表示する。あるいは、再起動処理Ｒの開始を利用者に促すようにしてもよい。例えば、リセットボタンの押下を指示するようにして、再起動処理Ｒの開始を利用者に促すようにしてもよい。
【００６３】
再起動処理Ｒが終了し、利用者ドライブ３２の内容が新たに生成されると、マスタ課金管理部４３に保持された利用残時間情報が利用者課金管理部５３に受渡され、各課金管理部４３，５３において利用時間の計時が再開される。
【００６４】
このように、実施形態のシステムＫにおいては、作動制御部２２の制御により端末２の起動および停止が自動的に行われるとともに、状態監視部１３により端末２の状態が監視されて例えばオペレーティングシステムがフリーズしたような場合には、状態監視部１３の指令にしたがって遠隔操作媒介部２３がシステムＫをリセットする。これにより、店員などの現場管理人の監視を要することなく、端末２を起動、停止およびリセットが可能となる。
【００６５】
したがって、現場管理人を確保することは容易ではないが時間的余裕のある人が集る場所、たとえば空港ロビーやホテルロビーや鉄道の駅待合室の空きスペースといった場所に端末２を設置することが可能となり、ビジネスチャンスが拡がる。
【００６６】
また、マスタドライブ３１と利用者ドライブ３２とを有し、利用者のアクセスが利用者ドライブ３２のみに制限されるので、利用者の不用意な操作や悪意のある操作によって、アプリケーションソフトおよびオペレーティングシステムが損傷したような場合にも、マスタドライブ３１の内容に基づいて利用者ドライブ３２の内容を回復することができるので、保守が極めて容易となる。
【００６７】
さらに、マスタドライブ３１において利用可能残時間を示すデータが保持されるので、利用中に利用者ドライブ３２の利用停止および更新が必要となったような場合にも、利用者に与える不利益を最小限としつつ利用者ドライブ３２の内容を更新することができる。
【００６８】
以上、本発明を実施形態に基づいて説明してきたが、本発明はかかる実施形態のみに限定されるものではなく、種々改変が可能である。本実施形態では、コインや硬貨の投入により端末２が利用可能とされているが、硬貨と紙幣の両方が利用可能とされてもよく、さらにカードの利用が可能とされてもよい。
【００６９】
【発明の効果】
以上詳述したように、本発明のインターネット端末によれば、店員等の現場管理人による端末の起動や停止の操作を要することなく、公衆が手軽に支払金額に応じた時間だけインターネットを利用できるという優れた効果が得られる。
【００７０】
また、本発明のインターネット端末の好ましい形態によれば、第１の画像表示部と第２の画像表示部とを有しているので、利用者の利用を妨げることなく第２の表示に広告などの特定の情報を出力することができてその利便性が向上するという優れた効果も得られる。
【図面の簡単な説明】
【図１】本発明の一実施形態に係るインターネット端末利用システムの概略構成を示すブロック図である。
【図２】同インターネット端末利用システムの管理装置の構成を示す概略ブロック図である。
【図３】同インターネット端末利用システムに適用されるインターネット端末の構成を示すブロック図である。
【図４】同インターネット端末の設置例を示す斜視図である。
【図５】同インターネット端末の起動から停止までの処理の流れを示すフローチャートである。
【図６】同インターネット端末の利用中おける再起動処理の流れを示すフローチャートである。
【符号の説明】
Ｋ    インターネット端末利用システム
Ｌ    インターネット
Ｍ    電気通信回線
１    管理装置
２    インターネット端末
１１    ウェブサーバ部
１２    ウェブメール管理部
１３    状態監視部
２１    情報処理部
２２    作動制御部
２３    遠隔操作媒介部
２４    コイン計数機
３１    マスタドライブ
３２    利用者ドライブ
４３    マスタ課金管理部
４４    利用者ドライブ生成部
５３    利用者課金管理部
【図１】
2004213585.tif 000003
【図２】
2004213585.tif 000004
【図３】
2004213585.tif 000005
【図４】
2004213585.tif 000006
【図５】
2004213585.tif 000007
【図６】
2004213585.tif 000008